(57)【要約】      （修正有）【課題】構造が簡単で、操作が簡便であり、企業の生産コストを削減するとともに、物品棚の全体的な安定性及び安全性を向上させることもできる管材片側支持機構を提供する。【解決手段】管材片側支持機構は、支持部材３を含み、支持部材３の両端に一体的な第１係止部材４と第２係止部材５がそれぞれ設けられ、第１係止部材４上に第１マウントが開設され、第２係止部材５上に第２マウントが開設され、第１マウントのマウント方向は第２マウントのマウント方向と垂直であり、第１係止部材４の第１マウントが横パイプ２と係着される場合、第２係止部材５の第２マウントが横パイプ２と繋がっている縦パイプ１と好適に係着されるように構成される。【選択図】図２
0003228592.tif 000002
【実用新案登録請求の範囲】
【請求項１】
複数の縦パイプ及び横パイプからなる支持フレームを含む物品棚における管材片側支持装置であって、
支持フレームにおける少なくとも１本の横パイプとそれと繋がっている縦パイプとの間に１つの管材片側支持機構が設けられており、前記管材片側支持機構は、支持部材を含み、支持部材の両端に一体的な第１係止部材と第２係止部材がそれぞれ設けられ、第１係止部材上に第１マウントが開設され、第２係止部材上に第２マウントが開設され、第１マウントのマウント方向は第２マウントのマウント方向と垂直であり、第１係止部材の第１マウントが横パイプと係着される場合、第２係止部材の第２マウントが該横パイプと繋がっている縦パイプと好適に係着されるように構成されることを特徴とする物品棚における管材片側支持装置。
【請求項２】
支持部材と第１係止部材との間が４５°に設けられ、支持部材と第２係止部材との間が４５°に設けられることを特徴とする請求項１に記載の物品棚における管材片側支持装置。
【考案の詳細な説明】
【技術分野】
【０００１】
本考案は、洗濯機ラックや物干しラックは一般に使用されている物品棚に関する。
【背景技術】
【０００２】
洗濯機ラックや物干しラックは一般に使用されている物品棚であって、物品棚は、支持フレームと、支持フレームに設けられた、物を載置するための支持ラックとからなり、支持フレームは、複数の縦パイプを含み、かつ隣接する縦パイプの間に横パイプが接続されているように構成される。従来、物品棚における支持フレームの縦パイプと隣接する横パイプとの間はネジロック方式によって固定される。
【０００３】
つまり、横パイプの両端にプラスチック製バルクヘッドナットがそれぞれ設けられ、縦パイプ上には対応する貫通孔が開設され、取り付けの際に、ボルトの一端を縦パイプの貫通孔に貫通させた後、横パイプの一端のプラスチック製バルクヘッドナットとロックさせることで、横パイプと縦パイプとの間が接続される。プラスチック製バルクヘッドナットの雌ネジ部分が約１ｃｍ程度しかないため、横パイプと縦パイプがボルト及びプラスチック製バルクヘッドナットの嵌合によってロック固定される場合、横パイプと縦パイプとの間に揺れが発生しやすく、支持フレームの安定性が悪くなり、物品棚の全体的な安定性が悪くなってしまう。
【０００４】
従来、物品棚における支持フレームの安定性を向上させるために、一般的には、２本の隣接する縦パイプの間に複数の補強位置決め横パイプが更に取り付けられ、各補強位置決め横パイプと縦パイプとの間もネジロック方式によって固定される。つまり、補強位置決め横パイプの両端にプラスチック製バルクヘッドナットがそれぞれ設けられ、縦パイプ上には対応する貫通孔が開設され、取り付けの際に、ボルトの一端を縦パイプの貫通孔に貫通させた後、補強位置決め横パイプの一端のプラスチック製バルクヘッドナットとロックさせることで、補強位置決め横パイプと縦パイプとが接続される。
【０００５】
このように隣接する縦パイプの間に複数の補強位置決め横パイプを接続して支持フレームの安定性を向上させる方式の欠点は、補強位置決め横パイプの製造コストが高く、取り付けが煩雑であるため、企業の生産コストが高いだけでなく、作業者の労働強度が高く、企業の生産効率が低いことである。
【考案の概要】
【考案が解決しようとする課題】
【０００６】
本考案は、構造が簡単で、操作が簡便であり、物品棚の安定性を向上させることができる、物品棚における管材片側支持装置を提供することを目的とする。
【０００７】
上記の目的を実現するために、本考案は以下のような技術手段を採用している。前記物品棚における管材片側支持装置は、複数の縦パイプ及び横パイプからなる支持フレームを含み、支持フレームにおける少なくとも１本の横パイプとそれと繋がっている縦パイプとの間に１つの管材片側支持機構が設けられており、前記管材片側支持機構は、支持部材を含み、支持部材の両端に一体的な第１係止部材と第２係止部材がそれぞれ設けられ、第１係止部材上に第１マウントが開設され、第２係止部材上に第２マウントが開設され、第１マウントのマウント方向は第２マウントのマウント方向と垂直であり、第１係止部材の第１マウントが横パイプと係着される場合、第２係止部材の第２マウントが該横パイプと繋がっている縦パイプと好適に係着されるように構成される。
【０００８】
更に、前述の物品棚における管材片側支持装置において、支持部材と第１係止部材との間が４５°に設けられ、支持部材と第２係止部材との間が４５°に設けられる。
【０００９】
上記の技術手段を実施することにより、本考案の有益な効果は、構造が簡単で、操作が簡便であり、企業の生産コストを削減するとともに、物品棚の全体的な安定性及び安全性を向上させることもできることである。
【図面の簡単な説明】
【００１０】
【図１】は、本考案に記載の物品棚における管材片側支持装置の構造模式図である。
【図２】は、図１に示すＨ部位の拡大模式図である。
【図３】は、図１に示す管材片側支持機構の立体構造模式図である。
【考案を実施するための形態】
【００１１】
以下、図面及び具体的な実施例を組み合わせて本考案について更に説明する。
【００１２】
図１、図２、図３に示すように、前記物品棚における管材片側支持装置は、複数の縦パイプ１及び横パイプ２からなる支持フレームを含み、支持フレームにおける少なくとも１本の横パイプ２とそれと繋がっている縦パイプ１との間に１つの管材片側支持機構が設けられており、本実施例において、各横パイプ２とそれと繋がっている縦パイプ１との間に設けられている管材片側支持機構は、構造がいずれも同じであるため、以下ではそのうちの１本の横パイプとそれと繋がっている縦パイプとの間に設けられている管材片側支持機構の構造のみを一例として説明しており、前記管材片側支持機構は、支持部材３を含み、支持部材３の両端に一体的な第１係止部材４と第２係止部材５がそれぞれ設けられ、第１係止部材４上に第１マウントが開設され、第２係止部材５上に第２マウントが開設され、第１マウントのマウント方向は第２マウントのマウント方向と垂直であり、第１係止部材４の第１マウントが横パイプ２と係着される場合、第２係止部材５の第２マウントが該横パイプ２と繋がっている縦パイプ1と好適に係着されるように構成される。
【００１３】
本実施例において、支持部材３と第１係止部材４との間が４５°に設けられ、支持部材３と第２係止部材５との間が４５°に設けられ、このような角度に設けられることにより、縦パイプ１と横パイプ２との間の接続安定性を更に向上させて、物品棚の全体的な安定性を向上させることができる。
【００１４】
実際の応用では、物品棚における横パイプと縦パイプが組み付けられた後、支持部材３の一端の第１係止部材４を横パイプに係止した後、更に支持部材３の他端の第２係止部材５を、該横パイプと接続されている縦パイプに係止すればよいため、操作が簡便である。
【００１５】
本考案は、従来の２本の隣接する縦パイプの間に複数の補強位置決め横パイプを取り付けて物品棚の全体的な安定性を向上させる固定方式の代わりに、物品棚の全体的な安定性を向上させるための係止型の管材片側支持機構を採用して物品棚における横パイプと縦パイプを固定しているため、構造が簡単で、操作が簡便であり、企業の生産コストを削減するとともに、物品棚の全体的な安定性及び安全性を向上させることもできるという長所がある。
【符号の説明】
【００１６】
１  縦パイプ
２  横パイプ
３  支持部材
４  第１係止部材
５  第２係止部材
Ｈ  拡大模式図
【図１】
0003228592.tif 000003
【図２】
0003228592.tif 000004
【図３】
0003228592.tif 000005